(57)【要約】【課題】利用者が設定画面で設定項目を設定するときの設定にかかる時間を短縮する。【解決手段】画像読取部での読み取りに伴って検知される原稿の物理的な特徴を示す原稿物理情報、及び画像読取部で読み取って得られた原稿上の画像の特徴を示す画像特徴情報の少なくとも一方を取得し、取得した原稿物理情報及び画像特徴情報の少なくとも一方に基づいて、読取処理を含む処理を実行する際に設定される設定項目から該処理を実行する際の利用者による設定が不要な設定項目を推定する第１の推定、及び複数の選択肢を有し、かつ該処理を実行する際に選択肢のいずれかを選択することにより設定される設定項目の該複数の選択肢から不要な選択肢を推定する第２の推定の少なくとも一方の推定を行い、該推定した不要な設定項目及び不要な選択肢の少なくとも一方が、該処理を実行する際の設定項目を設定するための設定画面に表示されないように制御する。【選択図】図４
2012205004.tif 000002
【特許請求の範囲】
【請求項１】
原稿上の画像を読み取る読取手段での読み取りに伴って検知される前記原稿の物理的な特徴を示す原稿物理情報、及び前記読取手段で読み取って得られた前記原稿上の画像の特徴を示す画像特徴情報の少なくとも一方を取得する取得手段と、
前記取得手段で取得した前記原稿物理情報及び前記画像特徴情報の少なくとも一方に基づいて、原稿上の画像を読み取る読取処理を含む処理を実行する際に設定される設定項目から前記処理を実行する際の利用者による設定が不要な設定項目を推定する第１の推定、及び複数の選択肢を有し、かつ前記処理を実行する際に前記選択肢のいずれかを選択することにより設定される設定項目の前記複数の選択肢から不要な選択肢を推定する第２の推定の少なくとも一方の推定を行い、前記推定した不要な設定項目及び不要な選択肢の少なくとも一方が、前記処理を実行する際の設定項目を設定するための設定画面に表示されないように制御する表示制御手段と、
を備えた表示制御装置。
【請求項２】
前記原稿が複数枚ある場合において、前記複数枚のうち１枚を読み取って前記原稿物理情報及び前記画像特徴情報の少なくとも一方を取得する第１の取得モード、及び前記複数枚の各々を読み取って前記原稿物理情報及び前記画像特徴情報の少なくとも一方を取得する第２の取得モードを選択するための選択手段を更に備え、
前記取得手段は、前記選択されたモードに応じて前記原稿物理情報及び前記画像特徴情報の少なくとも一方を取得する
請求項１に記載の表示制御装置。
【請求項３】
請求項１又は請求項２記載の表示制御装置と、
前記原稿上の画像を読み取る読取手段と、
前記表示制御装置により制御され、前記設定画面を表示する表示手段と、
前記設定画面に表示された設定項目を設定するための設定手段と、
前記設定手段による設定に従って前記処理を実行する実行手段と、
を備えた画像処理装置。
【請求項４】
コンピュータを、
原稿上の画像を読み取る読取手段での読み取りに伴って検知される前記原稿の物理的な特徴を示す原稿物理情報、及び前記読取手段で読み取って得られた前記原稿上の画像の特徴を示す画像特徴情報の少なくとも一方を取得する取得手段、及び
前記取得手段で取得した前記原稿物理情報及び前記画像特徴情報の少なくとも一方に基づいて、原稿上の画像を読み取る読取処理を含む処理を実行する際に設定される設定項目から前記処理を実行する際の利用者による設定が不要な設定項目を推定する第１の推定、及び複数の選択肢を有し、かつ前記処理を実行する際に前記選択肢のいずれかを選択することにより設定される設定項目の前記複数の選択肢から不要な選択肢を推定する第２の推定の少なくとも一方の推定を行い、前記推定した不要な設定項目及び不要な選択肢の少なくとも一方が、前記処理を実行する際の設定項目を設定するための設定画面に表示されないように制御する表示制御手段
として機能させるためのプログラム。
【発明の詳細な説明】
【技術分野】
【０００１】
本発明は、表示制御装置、画像処理装置、及びプログラムに関する。
【背景技術】
【０００２】
特許文献１には、プログラム作成装置が、画像処理プログラムの作成で使用されるパラメータリストから、画像処理装置での参照及び変更設定の対象となるパラメータを選択してパラメータの参照及び設定のためのユーザー画面を作成し、作成したユーザー画面を画像処理装置の表示画面上に再構成するために必要なユーザー画面情報を画像処理装置に転送し、画像処理装置が、該ユーザー画面情報に基づいてユーザー画面を表示部に再構成し、入力部からの操作によってユーザー画面を用いてパラメータの設定を行うパラメータ設定方法が開示されている。
【０００３】
特許文献２には、原稿画像データを解析して原稿特性値を抽出する画像解析部と、印刷したい原稿に対して原稿画像の加工や仕上げに関する設定を行うユーザーインタフェース部と、設定された各種の機能に基づいて原稿画像に対する加工や仕上げ処理の結果を表す仕上り画像を生成する仕上り画像生成部と、仕上り画像生成部により生成された仕上り画像を提示するプレビュー画像表示部と、機能の名称を入力するキーワード入力部と、を備え、前記ユーザーインタフェース部は、ユーザーが指定したキーワードに関連する機能を設定することが可能な機能設定用エリアのみを可視化してユーザーに提示することを特徴とする画像形成装置が開示されている。
【０００４】
特許文献３には、ログインしたユーザーの特性情報を取得し、処理対象の文書情報から、文書情報の特性を示す特性情報を抽出し、ジョブで利用した機能を含む履歴をレコードとする記憶部に記憶されたジョブ履歴情報のレコードの中から、レコードに含まれるユーザーＩＤで示されるユーザーの特性情報の少なくとも一部と上記取得した特性情報の少なくとも一部とが一致し、かつ、上記履歴情報に含まれる文書情報の特性情報の少なくとも一部と上記抽出した処理対象の文書情報の特性情報の少なくとも一部とが一致するレコードを絞り込み、該レコードに含まれる機能を利用するために、該絞り込まれたレコードを指定するための表示を行い、該表示に基づき指定されたレコードに基づき、処理対象の文書情報に対してレコードに含まれる機能を利用してジョブを実行し、そのジョブの履歴を保存する出力装置が開示されている。
【先行技術文献】
【特許文献】
【０００５】
【特許文献１】特開２００２−１３３３９２号公報
【特許文献２】特開２００７−１５０８８１号公報
【特許文献３】特開２００９−２５３７７１号公報
【発明の概要】
【発明が解決しようとする課題】
【０００６】
本発明は、原稿物理情報及び画像特徴情報を取得して、不要な設定項目や不要な選択肢を推定して、設定画面に表示されない構成を有しない場合に比べて、利用者が設定画面で設定項目を設定するときの設定にかかる時間を短縮することができる表示制御装置、画像処理装置、及びプログラムを得ることを目的とする。
【課題を解決するための手段】
【０００７】
請求項１の発明の表示制御装置は、原稿上の画像を読み取る読取手段での読み取りに伴って検知される前記原稿の物理的な特徴を示す原稿物理情報、及び前記読取手段で読み取って得られた前記原稿上の画像の特徴を示す画像特徴情報の少なくとも一方を取得する取得手段と、前記取得手段で取得した前記原稿物理情報及び前記画像特徴情報の少なくとも一方に基づいて、原稿上の画像を読み取る読取処理を含む処理を実行する際に設定される設定項目から前記処理を実行する際の利用者による設定が不要な設定項目を推定する第１の推定、及び複数の選択肢を有し、かつ前記処理を実行する際に前記選択肢のいずれかを選択することにより設定される設定項目の前記複数の選択肢から不要な選択肢を推定する第２の推定の少なくとも一方の推定を行い、前記推定した不要な設定項目及び不要な選択肢の少なくとも一方が、前記処理を実行する際の設定項目を設定するための設定画面に表示されないように制御する表示制御手段と、を備えている。
【０００８】
請求項２の発明は、請求項１に記載の表示制御装置において、前記原稿が複数枚ある場合において、前記複数枚のうち１枚を読み取って前記原稿物理情報及び前記画像特徴情報の少なくとも一方を取得する第１の取得モード、及び前記複数枚の各々を読み取って前記原稿物理情報及び前記画像特徴情報の少なくとも一方を取得する第２の取得モードを選択するための選択手段を更に備え、前記取得手段は、前記選択されたモードに応じて前記原稿物理情報及び前記画像特徴情報の少なくとも一方を取得するものである。
【０００９】
請求項３の発明の画像処理装置は、請求項１又は請求項２記載の表示制御装置と、前記原稿上の画像を読み取る読取手段と、前記表示制御装置により制御され、前記設定画面を表示する表示手段と、前記設定画面に表示された設定項目を設定するための設定手段と、前記設定手段による設定に従って前記処理を実行する実行手段と、を備えている。
【００１０】
請求項４の発明は、コンピュータを、原稿上の画像を読み取る読取手段での読み取りに伴って検知される前記原稿の物理的な特徴を示す原稿物理情報、及び前記読取手段で読み取って得られた前記原稿上の画像の特徴を示す画像特徴情報の少なくとも一方を取得する取得手段、及び前記取得手段で取得した前記原稿物理情報及び前記画像特徴情報の少なくとも一方に基づいて、原稿上の画像を読み取る読取処理を含む処理を実行する際に設定される設定項目から前記処理を実行する際の利用者による設定が不要な設定項目を推定する第１の推定、及び複数の選択肢を有し、かつ前記処理を実行する際に前記選択肢のいずれかを選択することにより設定される設定項目の前記複数の選択肢から不要な選択肢を推定する第２の推定の少なくとも一方の推定を行い、前記推定した不要な設定項目及び不要な選択肢の少なくとも一方が、前記処理を実行する際の設定項目を設定するための設定画面に表示されないように制御する表示制御手段として機能させるためのプログラムである。
【発明の効果】
【００１１】
請求項１に記載の発明によれば、本構成を有しない場合に比べて、利用者が設定画面で設定項目を設定するときの設定にかかる時間を短縮することができる。
【００１２】
請求項２に記載の発明によれば、利用者の希望に応じた読み取りを行って設定画面の表示を制御できる。
【００１３】
請求項３に記載の発明によれば、本構成を有しない場合に比べて、利用者が設定画面で設定項目を設定するときの設定にかかる時間を短縮することができる。
【００１４】
請求項４に記載の発明によれば、本構成を有しない場合に比べて、利用者が設定画面で設定項目を設定するときの設定にかかる時間を短縮することができる。
【図面の簡単な説明】
【００１５】
【図１】実施の形態に係る画像処理装置の構成を示す図である。
【図２】設定不要項目推定対応表の一例を示す図である。
【図３】初期設定画面の一例を示す図である。
【図４】設定画面の表示制御処理ルーチンの一例を示すフローチャートである。
【図５】初期設定画面上に読取ボタンを表示したときの表示状態の一例を示す図である。
【図６】設定不要項目を非表示にした設定画面の一例を示す図である。
【図７】初期設定画面上に２種類の読取ボタンを表示したときの表示状態の一例を示す図である。
【発明を実施するための形態】
【００１６】
以下、図面を参照して実施の形態の一例を詳細に説明する。図１には本実施の形態に係る画像処理装置１０が示されている。画像処理装置１０は、装置制御部１２、画像読取部１４、画像形成部１６、画像処理部１８、原稿枚数カウンタ２０、原稿サイズ検知部２２、原稿向き検知部２４、原稿色検知部２６、画像解析部２８、記憶部３０、操作パネル３２を備え、これらはバス３４を介して互いに接続されている。
【００１７】
装置制御部１２は、画像処理装置１０の各部の動作を制御する。装置制御部１２は、マイクロコンピュータ等から成り、ＣＰＵ１２Ａ、メモリ１２Ｂ、ＨＤＤ(Hard Disk Drive)やフラッシュメモリ等から成る不揮発性の記憶部１２Ｃが設けられている。記憶部１２Ｃには、画像処理装置１０の利用者に対して画像処理装置１０の様々な処理(例えばコピー処理やスキャン処理等)を実行する際の設定項目を設定するための設定画面を表示部３２Ａに表示させる画面制御を行う表示制御処理ルーチンのプログラムと、様々なプログラムを実行するためのプラットフォームとして機能するオペレーティング・システム(ＯＳ)のプログラムが各々記憶されている。
【００１８】
画像読取部１４は、画像読取位置に搬送された原稿上の画像を読み取る。本実施の形態の画像処理装置１０には、自動原稿送り部（不図示）が設けられており、自動原稿送り部にセットされた原稿が１枚ずつ画像読取位置まで搬送されるように構成されている。画像読取部１４は、読取光学系と原稿台（図示省略）を備えており、自動原稿送り部より送られてきた原稿、或いは利用者によって原稿台上に載せられた原稿に記録された画像を読取光学系により光電的に読み取ることによってアナログの画像信号を得、該アナログの画像信号をデジタルに変換して、原稿上の画像を表す読取画像データを生成する。読取画像データは記憶部３０の画像データ記憶領域に記憶される。なお、画像読取部１４は、白黒の読取画像データを得るものであってもよいが、本実施の形態では、原稿上の画像を読み取ってＲＧＢ各色の読取画像データを生成することが可能な読取光学系を有するものとする。
【００１９】
なお、本実施の形態において、原稿上の画像を読み取って読取画像データを得ることを「読み取り」といい、原稿上の画像を読み取って読取画像データを得、更に読取画像データに対して何らかの画像処理を施して利用者が希望する画像データを生成する処理を「スキャン」といい、読み取りと区別して説明する。
【００２０】
画像形成部１６は、入力された画像データが表す画像を記録用紙上に形成する。本画像処理装置１０でコピー処理を行う場合には、画像読取部１４で読み取られた読取画像データに対して画像形成部１６で画像処理を施し、該画像処理を施して得られた画像データを画像形成部１６に入力して、画像を形成する。
【００２１】
画像処理部１８は、画像読取部１４により読み取って得られた読取画像データを記憶部３０から読み出して各種画像処理を施す。画像処理部１８で実行される画像処理には、実行する処理に応じて予め定められている画像処理もあるが、利用者により操作パネル３２で設定された設定項目の設定内容に応じて実行される画像処理もある。
【００２２】
原稿枚数カウンタ２０、原稿サイズ検知部２２、原稿向き検知部２４、及び原稿色検知部２６の各々は、画像読取部１４による原稿上の画像の読み取りに伴って、原稿の物理的な特徴を示す原稿物理情報を検知するための手段である。
【００２３】
原稿枚数カウンタ２０は、自動原稿送り部より画像読取位置に搬送される原稿の枚数を計数し、計数した結果である原稿の枚数を示す情報を出力する。
【００２４】
原稿サイズ検知部２２は、自動原稿送り部から画像読取位置までの搬送経路に設けられた複数の光学式センサを備え、自動原稿送り部から搬送された原稿上の画像を読み取る際に、該複数の光学式センサにより読取対象の原稿の端部を検出することで、原稿のサイズを検知し、検知したサイズの情報を出力する。ここで原稿のサイズが定型サイズか非定型サイズかを判定しこの判定結果を出力するようにしてもよい。
【００２５】
原稿向き検知部２４は、自動原稿送り部から画像読取位置までの搬送経路に設けられた複数の光学式センサを備え、該光学式センサにより原稿の短辺方向と長辺方向とを検知することで、原稿が搬送方向に対して横向きか縦向きかを検知して検知した向きの情報を出力する。なお、原稿サイズ検知部２２のセンサを、原稿向き検知部２４のセンサと兼用してもよい。
【００２６】
原稿色検知部２６は、原稿の色（原稿用紙そのものの色。すなわち地色）を検知して検知した原稿の色の情報を出力する。読取画像データから検知するようにしてもよい。
【００２７】
なお、上記検知される原稿枚数、原稿サイズ、原稿向き、及び原稿色の各々の情報は、原稿の物理的な特徴を示す情報の具体例であって、これらに限定されるものではない。
【００２８】
画像解析部２８は、読取画像データを解析して、原稿上の画像の特徴を示す画像特徴情報を検知して出力する。画像特徴情報は、例えば、モノクロ画像かカラー画像かを示す情報、画像の属性（写真、地図、文字など）を示す情報、画像に文字が含まれている場合には、文字の大きさを示す情報、両面印刷か片面印刷かを示す情報、複数画像（複数ページの画像）が縮小され配置されて１画像（１ページ）にまとめられた画像（以下、Ｎｕｐ画像という場合もある）か否かを示す情報等がある。
【００２９】
各画像特徴情報は周知の技術を用いて導出される。例えば、モノクロ（白黒）画像かカラー画像かを示す情報は、例えば、閾値以上の数のカラーの画素が画像含まれていれば、カラーであると判定して、カラーを示す情報を生成し、カラーの画素が閾値未満であれば、白黒であると判定して、白黒を示す情報を生成するようにしてもよい。また、属性の情報については、例えば、画像の濃度分布等の各種の特徴量に基づいて、属性を判定してもよい。また、複数画像（複数ページの画像）が縮小され配置されて１画像（１ページ）にまとめられた画像か否かを示す情報は、例えば、画像の密度分布から、密度の高い画像のかたまりを抽出しその配置状態から判定するようにしてもよい。
【００３０】
記憶部３０は、例えばＨＤＤやフラッシュメモリ等により構成され、読取画像データを含む様々な画像データを記憶するための記憶領域を備えている。また、記憶部３０には、後述する設定不要項目を推定する場合に用いられる設定不要項目推定対応表（以下、対応表）も予め記憶されている。
【００３１】
ここで、設定不要項目について説明する。本実施の形態の画像処理装置１０は、利用者が希望する出力結果が得られるように印刷され、また画像処理が実行されるよう、様々な設定項目の設定が可能に構成されている。利用者がコピーやスキャン等の機能（処理）を利用する場合には、様々な設定項目を設定して利用することとなるが、画像処理装置１０が多機能であったりすると、その設定項目は多岐にわたる。
【００３２】
本実施の形態では、前述した、原稿の物理的な特徴を示す原稿物理情報、及び原稿上の画像の特徴を示す画像特徴情報の少なくとも一方に基づいて、設定項目を設定するための設定画面の表示を制御し、コピーやスキャン等の機能を実行する際、利用者による設定が不要な設定項目と判定した設定項目が設定画面に表示されないようにする。なお、本実施の形態では、利用者による設定が不要な設定項目を「設定不要項目」と呼称する。
【００３３】
図２に、対応表の一例を示す。この対応表には、設定不要項目が、原稿物理情報及び画像特徴情報の少なくとも一方に対応付けて記憶されている。本実施の形態では、該対応表を参照して、設定不要項目を判定する。詳細は後述する。
【００３４】
なお、記憶部３０には、原稿物理情報及び画像特徴情報の少なくとも一方と、設定項目とに関連付けて、設定項目の設定内容の情報を記憶した設定表も記憶されている（図示省略）。この設定表に記憶されている設定項目の設定内容が設定不要項目の設定内容として採用され、コピーやスキャンの処理に用いられる。すなわち、ここで、設定不要項目は、利用者による設定（設定操作）が不要な項目として推定されるものだが、必ずしも設定項目の設定内容そのものが実際の処理において不要ということを意味するものではない。本実施の形態では、設定不要項目については設定表に登録されている設定内容が設定されたものとして、コピー処理やスキャン処理が実行される。詳細は後述する。
【００３５】
操作パネル３２は、ＬＣＤ等から成る表示部３２Ａ、及び表示部３２Ａ上に重ねられたタッチパネルやテンキーから成り利用者による操作を受付ける操作受付部３２Ｂが設けられている。利用者は、操作パネル３２を介して設定項目の設定を行う。
【００３６】
なお、上記構成要素のほか、ＰＣ(Personal Computer)等の情報処理装置とネットワークケーブル及びコンピュータネットワーク(図示省略)経由で情報の送受信を行うためのネットワーク通信制御部等が設けられているが、ここでは図示を省略した。
【００３７】
次に、本実施の形態の作用を説明する。ここでは、コピー処理を実行する場合を例に挙げて説明する。
【００３８】
図２には、コピー処理を実行する場合の、初期状態の設定画面４０（以下、初期設定画面という）の一例が示されている。初期設定画面４０は、画像処理装置１０の操作パネル３２に表示される。初期設定画面４０には、設定不要項目推定ボタン４２と、各設定項目及び各設定項目の選択肢のボタンが表示された設定部４４が設けられている。例えば、「倍率設定」という設定項目には、「１００％」、「自動」、「７０％」、「１４１％」の４つの選択肢があり、各選択肢のボタンが利用者により選択可能に表示されている。利用者は、複数の選択肢のボタンのいずれかを押下することにより、押下した選択肢を選択して設定項目を設定する。なお、ここでは、各々複数の選択肢を有し、複数の選択肢から１つを選択することによって設定内容（設定値）を設定する設定項目のみが図示されているが、利用者が数値を直接入力することによって設定する設定項目が含まれていてもよい。
【００３９】
また、利用者が設定不要項目推定ボタン４２を押下しない場合には、利用者は、初期設定画面４０において表示される設定項目の各々について設定する。利用者が設定不要項目推定ボタン４２を押下した場合には、図４に示す設定画面の表示制御処理ルーチンが実行される。
【００４０】
ステップ１００では、初期設定画面４０上に、読み取りボタンを表示する。図５に、読取ボタンを表示したときの表示状態の一例を示す。「設定不要項目の推定をします。原稿をセットし、読み取りボタンを押してください。」のメッセージを表示したウィンドウ４６上に、読み取りボタン４８が配置されている。利用者は、自動原稿送り部に原稿をセットして、読み取りボタン４８を押下する。
【００４１】
ステップ１０２では、利用者が読み取りボタン４８を押下したか否かを判定し、ステップ１０２で、読み取りボタン４８を押下したと判定した場合には、ステップ１０４に進む。
【００４２】
ステップ１０４では、画像読取部１４を制御して、原稿の読み取り動作を開始させる。なお、画像読取部１４に両面読み取り機能が設けられている場合には、原稿の両面が読み取られる。このとき、該読み取り動作に伴って、原稿枚数カウンタ２０、原稿サイズ検知部２２、原稿向き検知部２４、原稿色検知部２６、及び画像解析部２８により、原稿物理情報及び画像特徴情報が検知されるように制御する。なお、この読み取り動作において、画像処理装置１０が両面の読み取りが自動で可能に構成されている場合には、原稿の両面が読み取られる。この読み取り動作により得られた読取画像データは、Ａ／Ｄ変換によってデジタル信号に変換される以外には何らの画像処理も施されずに、記憶部３０に格納される。
【００４３】
ステップ１０６では、原稿枚数カウンタ２０、原稿サイズ検知部２２、原稿向き検知部２４、及び原稿色検知部２６の各々から、原稿物理情報を取得する。
【００４４】
ステップ１０８では、画像解析部２８から画像特徴情報を取得する。ここでは、原稿物理情報を画像特徴情報の後に取得する例について説明したが、取得の順序は特に限定されない。
【００４５】
ステップ１１０では、設定不要項目の推定を行う。具体的には、図２に例示した対応表を参照して、設定不要項目を推定する。例えば、画像特徴情報に、「モノクロ」を示す画像特徴情報が含まれていた場合には、対応表に基づき、「カラー（図３ではカラーモード）」が設定不要項目として推定される。原稿の画像は白黒画像であるため、カラーモードを利用者が設定するまでもなく、その設定値を「白黒」に設定できるためである。
【００４６】
同様に、例えば、文字が小さい、という画像特徴情報が含まれていた場合には、「縮小」及び「Ｎｕｐ」という設定項目が設定不要項目として推定される。ここで、「Ｎｕｐ」とは、複数画像（複数ページの画像）を１画像（１ページ）にまとめて出力するときの設定項目である。例えば、この設定項目では、例えば、２ページを１ページにまとめる、或いは４ページを１ページにまとめる等の設定がなされる。従って、「Ｎｕｐ」を実行すると、縮小処理が実行されることになる。
【００４７】
また、Ａ４サイズの原稿１枚を、縮小や拡大などの画像処理を施さずそのままコピーすることは一般的に広く行われるため、原稿物理情報が、原稿サイズがＡ４サイズで、枚数が１枚の原稿１枚であることを示していた場合には、出力枚数以外の設定項目を設定不要項目であると推定する。
【００４８】
また、原稿枚数が複数で、原稿サイズがＡ３である旨を示す原稿物理情報に対しては、「Ｎｕｐ」が設定不要項目とされる。原稿のサイズが定型ではなく、非定型のサイズである場合には、「用紙サイズ」（画像を形成する用紙のサイズ）という設定項目が設定不要項目として推定される。また、原稿物理情報がミックスサイズ（原稿が複数枚存在し、異なる複数の原稿サイズが検知された場合）を示していた場合には、拡大縮小、両面、回転、Ｎｕｐの各々が設定不要項目として推定される。
【００４９】
また、原稿物理情報に、原稿の向きを示す情報が含まれていた場合には、用紙向き（画像を形成する用紙の搬送方向に対する向き）が設定不要項目として推定される。ここでは何らかの向きが原稿向き検知部２４により検出されれば、「用紙向き」が設定不要項目として推定されるものとする。この場合、原稿の長辺方向の長さと、短辺方向の長さとの差が小さく、原稿の向きが検知されなかった場合、或いは、原稿が複数枚存在し、異なる向きが混在しており、原稿の向きが複数検知された場合には、「用紙向き」の設定項目は、設定不要項目であるとは推定されないことになる。
【００５０】
また、何らかの原稿色が原稿物理情報に含まれていた場合には、「原稿色」の設定項目は設定不要項目として推定される。なお、例えば、複数の地色が混在する原稿であった場合には、色を１つの色に特定できないため、原稿色の設定項目は設定不要項目として推定されないようにしてもよい。
【００５１】
また、例えば、画像特徴情報に、文字が大きい、という画像特徴情報が含まれていた場合には、「拡大」という設定項目が設定不要項目として推定される。また、例えば、画像特徴情報に、「カラー」を示す画像特徴情報が含まれていた場合には、対応表に基づき、「カラー（図３ではカラーモード）」が設定不要項目として推定される。
【００５２】
また、画像特徴情報に、画像の属性が写真、或いは地図である旨の画像特徴情報が含まれていた場合には、「原稿種類」という設定項目が設定不要項目として推定される。
【００５３】
また、画像特徴情報に、両面印刷であることを示す画像特徴情報が含まれていた場合には、「両面」という設定項目が設定不要項目として推定される。また、画像特徴情報に、Ｎｕｐ画像であることを示す画像特徴情報が含まれていた場合には、「Ｎｕｐ」という設定項目が設定不要項目として推定される。
【００５４】
また、原稿枚数が１枚であって、画像の属性情報が「写真」の場合には、「出力枚数」及び「拡大・縮小」の設定項目以外の設定項目が設定不要項目として推定される。また、原稿のサイズが「非定型」であって、原稿の画像が「カラー」かつ「片面印刷」である場合には、「両面印刷」が設定不要項目として推定される。
【００５５】
なお、上記で説明した推定例、及び図２の対応表は、一例であって、これらに限定されるものではない。また、原稿が複数枚あるときには、画像特徴情報が、各原稿によって異なる場合がある。この場合には、複数枚の原稿の各々の読み取りにより得られた画像特徴情報のうち、最頻値を用いて推定してもよいし、１枚目の原稿の読み取りにより得られた情報を用いてもよい。或いは、画像特徴情報の各々について、優先度を設け、優先度の低い情報より優先度の高い情報を用いるようにしてもよい。例えば、カラー原稿と白黒原稿が混在している場合には、画像特徴情報がカラーを示す画像特徴情報を優先して推定に用いる、等である。
【００５６】
ステップ１１０で設定不要項目を推定した後は、ステップ１１２で、推定された設定不要項目が表示されないように、設定画面の表示を変更する。
【００５７】
図６に、設定不要項目を非表示にした設定画面５０の一例を示す。ここでは、図３に示した「カラーモード」という設定項目が設定不要項目として推定され、「カラーモード」という設定項目が非表示にされた設定部５４が表示されている。また、この設定画面５０には、設定不要項目推定解除ボタン５２（以下、解除ボタン）が設けられている。利用者は、解除ボタン５２を押下することによって、初期設定画面４０に表示を戻すことができる。
【００５８】
ステップ１１４では、解除ボタン５２が押下されたか否かを判定し、押下されたと判定した場合には、ステップ１１８で、初期設定画面４０が表示されるように制御する。また、ステップ１１４で、解除ボタン５２が押下されないと判定した場合には、ステップ１１６は行われず、変更された設定画面５０の表示を継続する。
【００５９】
装置制御部１２は、設定画面において利用者による設定が終了すると、各設定項目の設定内容に応じた処理が行われるように制御する。例えば、コピー処理であれば、画像処理部１８で各設定項目の設定内容に応じた画像処理が行われ、かつ画像形成部１６で画像の形成が行われるように制御する。また、スキャン処理であれば、画像処理部１８で各設定項目の設定内容に応じた画像処理が行われるように制御する。なお、設定画面に表示されず利用者により設定されなかった設定項目については、記憶部３０に記憶されている設定表から、設定不要項目の設定内容（設定値）を取得し、該設定内容に従って処理されるように制御する。
【００６０】
例えば、上記説明した例では、画像特徴情報に、原稿の画像がモノクロであることを示す画像特徴情報が含まれていた場合には、設定項目「カラーモード」が設定不要項目と推定されて非表示となる。この設定項目「カラーモード」については、画像特徴情報「モノクロ」と設定項目「カラーモード」とに関連付けて設定表に記憶されている設定値（例えば、「白黒」或いは「モノクロ」を示す値）を読み出して、これをカラーモード設定項目の設定値として用いて処理する。
【００６１】
なお、上記実施の形態では、原稿物理情報と画像特徴情報の双方を取得し、設定不要項目を推定する例について説明したが、原稿物理情報及び画像特徴情報のいずれか一方を取得して、設定不要項目を判定するようにしてもよい。
【００６２】
例えば、上記実施の形態では、原稿枚数カウンタ２０、原稿サイズ検知部２２、原稿向き検知部２４、及び原稿色検知部２６が設けられている場合を例に挙げて説明したが、これらが設けられておらず、画像解析部２８が設けられている構成としてもよいし、画像解析部２８は設けられておらず、原稿枚数カウンタ２０、原稿サイズ検知部２２、原稿向き検知部２４、及び原稿色検知部２６の少なくとも１つが設けられている構成としてもよい。
【００６３】
また、上記実施の形態では、設定不要項目を推定する例について説明したが、設定不要項目だけでなく、複数の選択肢を有し、かつコピー処理（或いはスキャン処理）を実行する際に該複数の選択肢のいずれかを選択することにより設定される設定項目の該複数の選択肢から不要な選択肢を推定するようにしてもよい。例えば、上記例では、「カラーモード」という設定項目については、図２においては、原則は、「カラー」、「白黒」、「２色」「単色」という４つの選択肢が選択可能だが、画像特徴情報に、原稿上の画像がカラーである（或いは、白黒ではない）ことを示す画像情報が含まれていた場合には、例えば「白黒」という選択肢を不要な選択肢（以下、不要選択肢）として推定し、設定画面上に、「白黒」という選択肢が表示されないように制御してもよい。対応表には、不要選択肢についても予め登録しておき、対応表を参照して推定すればよい。
【００６４】
また、設定不要項目は推定せず、不要選択肢を推定して、該選択肢が設定画面に表示されないように制御するようにしてもよい。
【００６５】
また、上記実施の形態では、コピー処理の場合について説明したが、スキャン処理の場合も同様に表示制御すればよい。スキャン処理の場合には、読取画像データに対する画像処理の内容を定めるための設定項目が設定画面に表示されることとなるが、これら設定項目における設定不要項目や不要選択肢を推定して、設定画面の表示を制御すればよい。
【００６６】
なお、仮読み取り（本読み取りで原稿を読み込む前に、原稿を仮読み取りすること）を行ってから、本読み取り（仮読み取り後に、実際に原稿を読み取ること）を行うように構成されている画像処理装置もある。この場合には、仮読み取りの際に、原稿物理情報及び画像特徴情報の少なくとも一方を取得して、設定不要項目及び不要選択肢の少なくとも一方を推定し、設定画面の表示を制御するようにしてもよい。
【００６７】
また、仮読み取りを行わない装置の場合には、通常の読み取りの際に、原稿物理情報及び画像特徴情報の少なくとも一方を取得して、設定不要項目及び不要選択肢の少なくとも一方を推定し、設定画面の表示を制御するようにしてもよい。
【００６８】
また、原稿の枚数が多い場合には、設定画面の表示が変更されるまで時間がかかる。そこで、原稿の枚数が複数枚である場合に、原稿の１枚目の読み取りで、設定画面を変更することを希望する利用者のため、設定不要項目推定ボタン４２が押下された場合に、図７に示すように、原稿の１枚目の読み取り動作により、原稿物理情報及び画像特徴情報を取得するための１枚読み取りボタン４８Ａと、原稿の全ての読み取り動作により、原稿物理情報及び画像特徴情報を取得するための全原稿読み取りボタン４８Ｂとを表示し、設定不要項目の推定により設定画面を変更する際には、いずれか一方の読み取りボタンを押下させるようにしてもよい。
【００６９】
これにより、例えば、複数枚の原稿がセットされた状態で、利用者により全原稿読み取りボタン４８Ｂが押下された場合の処理は、上記と同様に全ての原稿を読み取って、処理する。また、複数枚の原稿がセットされた状態で、利用者により１枚読み取りボタン４８Ａが押下された場合には、１枚目の原稿を読み取り、該１枚目の原稿の読み取りに伴って検知された原稿物理情報及び該原稿から読み取られた画像の画像特徴情報の少なくとも一方を取得して、設定不要項目及び不要選択肢の少なくとも一方を推定し、該推定された設定不要項目及び不要選択肢の少なくとも一方が設定画面に表示されないように制御する。なお、このとき、設定画面が変更されるまで、他の原稿の読み取りを一旦停止してもよいが、仮読み取りを行わない画像処理装置１０の場合には、１枚目の原稿の読み取りによる原稿物理情報や画像特徴情報の取得、及び設定画面の表示制御と並行して、残りの原稿の読み取り動作を行うように制御してもよい。これにより、コピー処理やスキャン処理が早く終わる。
【００７０】
なお、上記実施の形態では、画像読取部１４及び画像形成部１６の双方が設けられた画像処理装置１０を例に挙げて説明したが、画像形成部１６が設けられていない画像処理装置であってもよい。この場合には、コピー処理は実行されないが、スキャン処理は実行可能である。
【符号の説明】
【００７１】
１０   画像処理装置
１２   装置制御部
１２Ａ ＣＰＵ
１２Ｂ メモリ
１２Ｃ 記憶部
１４   画像読取部
１６   画像形成部
１８   画像処理部
２０   原稿枚数カウンタ
２２   原稿サイズ検知部
２４   原稿向き検知部
２６   原稿色検知部
２８   画像解析部
３０   記憶部
３２   操作パネル
３２Ｂ 操作受付部
３２Ａ 表示部
４０   初期設定画面
５０   表示変更後の設定画面
【図１】
2012205004.tif 000003
【図２】
2012205004.tif 000004
【図３】
2012205004.tif 000005
【図４】
2012205004.tif 000006
【図５】
2012205004.tif 000007
【図６】
2012205004.tif 000008
【図７】
2012205004.tif 000009